(57)【要約】【課題】外形寸法を拡大することなくオルタネータ入力端子部の温度上昇を確実に低減させることができるヒュージブルリンクユニットを提供する。【解決手段】連結プレート部２に各可溶体部３を介して連結される複数の雌端子部４及びビス止め用端子部５が連鎖状に形成されると共に、連結プレート部２にオルタネータ入力端子部６が連結されたヒューズ回路構成体１を有するヒュージブルリンクユニットにおいて、連結プレート部２の２箇所よりそれぞれ延設される第１及び第２延長プレート片部７，８をそれぞれ設け、これら第１及び第２延長プレート片部７，８の一部を重ね合わせてオルタネータ入力端子部６を形成した。【選択図】　　　図１
2004127697.tif 000002
【特許請求の範囲】
【請求項１】
連結プレート部に各可溶体部を介して連結される複数の端子部が連鎖状に形成されると共に、該連結プレート部にオルタネータ入力端子部が連結されたヒューズ回路構成体を有するヒュージブルリンクユニットにおいて、
前記連結プレート部よりそれぞれ延設される複数の延長プレート片部を設け、この複数の延長プレート片部の一部を重ね合わせて前記オルタネータ入力端子部を形成したことを特徴とするヒュージブルリンクユニット。
【請求項２】
請求項１記載のヒュージブルリンクユニットであって、
前記複数の延長プレート片部は第１延長プレート片部と第２延長プレート片部の２枚であり、これら第１延長プレート片部の第１オルタネータ端子片部と第２延長プレート片部の第２オルタネータ端子片部とを重ね合わせて前記オルタネータ入力端子部を形成したことを特徴とするヒュージブルリンクユニット。
【請求項３】
請求項２記載のヒュージブルリンクユニットであって、
前記第１延長プレート片部は、前記連結プレート部と第１オルタネータ端子片部との間に連結プレート部に重なるように折り曲げられた連結プレート重合片部を有することを特徴とするヒュージブルリンクユニット。
【請求項４】
請求項２又は請求項３記載のヒュージブルリンクユニットであって、
前記第２延長プレート片部は、前記連結プレート部と前記第２オルタネータ端子片部との間に放熱プレート片部を有することを特徴とするヒュージブルリンクユニット。
【発明の詳細な説明】
【０００１】
【発明の属する技術分野】
本発明は、各可溶体部を介した端子部が連鎖状に連結されるヒューズ回路構成体を有した連鎖型大電流用のヒュージブルリンクユニットに関する。
【０００２】
【従来の技術】
この種の従来のヒュージブルリンクユニットは、ヒューズ回路構成体と、このヒューズ回路構成体が組み込まれるハウジングとを備えている。ヒューズ回路構成体１００は、図６に示すように、連結プレート部１０１と、この連結プレート部１０１に各可溶体部１０２を介して連結された複数の端子部１０３ａ，１０３ｂと、連結プレート部１０１の一端側より延設されたオルタネータ入力端子部１０４とを有し、図示しない導電性を有する平板状のプレート材のプレス加工により形成される。尚、図６は、ヒューズ回路構成体１００の展開図であり、オルタネータ回路構成体１０４は連結プレート部１０１に対して折曲線ｅで直角に折り曲げられている。
【０００３】
ヒューズ回路構成体１００が図示しないハウジング内に挿入されると、ヒューズ回路構成体１００の連結プレート部１０１及び各可溶体１０２がハウジング内に完全に収容されると共に、各端子部１０３ａがハウジングのコネクタハウジング部内にセットされ、各端子部１０３ｂがハウジングの端子支持部に表面露出状態で支持される。
【０００４】
そして、オルタネータ入力端子部１０４は図示しないオルタネータ用ケーブルの端子と共にボルトでハウジングに共締めされる。コネクタハウジング部内の各端子部１０３ａには図示しない相手側コネクタの各端子が、端子支持部の各端子部１０３ｂにはビス止めで図示しない相手側のＬＡ端子がそれぞれ接続される。相手側コネクタの各端子及び各ＬＡ端子はケーブルを介して各負荷にそれぞれ接続され、これら各負荷にオルタネータ等からの電源がヒューズ回路（いずれも図示省略）を介して分配供給される。そして、負荷側の短絡事故などによって可溶体部１０２に所定以上の電流が通電されると、可溶体部１０２が発熱によって溶断し、過電流に基づく事故が防止される。
【０００５】
上記ヒュージブルリンクユニットにあっては、平板状のヒューズ回路構成体１００をハウジングに組み込むことによりユニットを構成するため、多くの可溶体部（ヒューズ箇所）１０２を有するヒューズ回路を非常にコンパクトに構成することができるものである。
【０００６】
【特許文献１】
特開２０００−１３３１１４号公報
【０００７】
【発明が解決しようとする課題】
ところで、前記従来のヒュージブルリンクユニットのヒューズ回路構成体１００は、１枚の導電性を有する平板状のプレート材をプレス加工することにより形成できるため非常に製造が容易であるが、どの部分の厚みも同じであるため、大電流が流入されるオルタネータ入力端子部１０４での温度上昇が大きいという問題があった。ここで、ヒューズ回路構成体１００の厚みを厚くしたり、オルタネータ入力端子部１０４の幅を大きくしたりすることが考えられるが、これらによって温度上昇を低減しようとすると外形寸法が非常に拡大することになる。
【０００８】
そこで、本発明は、前記した課題を解決すべくなされたものであり、外形寸法を拡大することなくオルタネータ入力端子部の温度上昇を確実に低減させることができるヒュージブルリンクユニットを提供することを目的とする。
【０００９】
【課題を解決するための手段】
請求項１の発明は、連結プレート部に各可溶体部を介して連結される複数の端子部が連鎖状に形成されると共に、該連結プレート部にオルタネータ入力端子部が連結されたヒューズ回路構成体を有するヒュージブルリンクユニットにおいて、前記連結プレート部よりそれぞれ延設される複数の延長プレート片部を設け、この複数の延長プレート片部の一部を重ね合わせて前記オルタネータ入力端子部を形成したことを特徴とする。
【００１０】
このヒュージブルリンクユニットでは、オルタネータからの電流が複数枚の延長プレート片部より成るオルタネータ入力端子部に入力され、入力された電流が複数の延長プレート片部に分流しつつ連結プレート部に流入されるものであり、連結プレート部より複数の延長プレート片部を延設し、これらの一部を重ね合わせることでオルタネータ入力端子部を形成しており、従来とほぼ同様なスペースで形成可能である。
【００１１】
請求項２の発明は、請求項１記載のヒュージブルリンクユニットであって、前記複数の延長プレート片部は第１延長プレート片部と第２延長プレート片部の２枚であり、これら第１延長プレート片部の第１オルタネータ端子片部と第２延長プレート片部の第２オルタネータ端子片部とを重ね合わせて前記オルタネータ入力端子部を形成したことを特徴とする。
【００１２】
このヒュージブルリンクユニットでは、請求項１の発明の作用に加え、オルタネータ入力端子部に入力された電流が２分流して連結プレート部に流入する。
【００１３】
請求項３の発明は、請求項２記載のヒュージブルリンクユニットであって、前記第１延長プレート片部は、前記連結プレート部と第１オルタネータ端子片部との間に連結プレート部に重なるように折り曲げられた連結プレート重合片部を有することを特徴とする。
【００１４】
このヒュージブルリンクユニットでは、請求項１の発明の作用に加え、連結プレート部が２重となる。
【００１５】
請求項４の発明は、請求項２又は請求項３記載のヒュージブルリンクユニットであって、前記第２延長プレート片部は、前記連結プレート部と第２オルタネータ端子片部との間に放熱プレート片部を有することを特徴とする。
【００１６】
このヒュージブルリンクユニットでは、請求項２又は請求項３の発明の作用に加え、放熱プレート片部より放熱される。
【００１７】
【発明の実施の形態】
以下、本発明の一実施形態を図面に基づいて説明する。
【００１８】
図１〜図５は本発明の一実施形態を示し、図１（ａ）はヒューズ回路構成体の全体斜視図、図１（ｂ）はオルタネータ入力端子部付近の部分斜視図、図２はヒューズ回路構成体の正面図、図３はヒューズ回路構成体の右側面図、図４はヒューズ回路構成体の左側面図、図５はヒューズ回路構成体を裏面側から見た展開図である。
【００１９】
ヒュージブルリンクユニットは、ブスバーであるヒューズ回路構成体１と、このヒューズ回路構成体１が組み込まれる図示しない合成樹脂製のハウジングとを備えている。図１〜図４に示すように、ヒューズ回路構成体１は、細長い長方形状の連結プレート部２と、この連結プレート部２の短手方向に各可溶体部３を介して連鎖状に連結された複数の雌端子部４と、連結用プレート部２の短手方向に各可溶体部３を介して連鎖状に連結された複数のビス止め用端子部５と、連結プレート部２の２箇所よりそれぞれ延設され、オルタネータ入力端子部６を有する第１延長プレート片部７及び第２延長プレート片部８とから成り、図示しない導電性で平板状のプレート材をプレス加工することにより一体に形成されている。
【００２０】
各可溶体部３は細幅でクランク状を有し、そのクランク形状の途中に低融点金属が加締め固定されるものであり、それぞれに所定値以上の電流が通電されると溶断されるようになっている。複数の雌端子部４と複数のビス止め用端子部５は隣接するもの同士が間隔をおいて連鎖状に配置されている。
【００２１】
第１延長プレート片部７は、連結プレート部２の上端全域より延設され、該連結プレート部２に重なるように折り曲げ折り畳まれた連結プレート重合片部７ａと、この連結プレート重合片部７ａの下端の一部より延設され、該連結プレート重合片部７ａに直角方向に折り曲げられた第１オルタネータ端子片部７ｂとから構成されている。第２延長プレート片部８は、連結プレート部２の長手方向の一端より延設された差し込み係止部８ａと、この差し込み係止部８ａの側端全域より延設され、差し込み係止部８ａに直角方向に折り曲げられた放熱プレート片部８ｂと、この放熱プレート片部８ｂの上端より延設され、該放熱プレート片部８ｂに直角方向に折り曲げられた第２オルタネータ端子片部８ｃとから構成されている。そして、これら第１オルタネータ端子片部７ｂと第２オルタネータ端子片部８ｃが重ね合わされてオルタネータ入力端子部６が形成されている。
【００２２】
次に、ヒューズ回路構成体１の製造手順を図６の展開図を用いて説明する。１枚の導電性で、且つ、剛性を有するプレートを所定の型で打ち抜くことにより図６に示す展開形状のヒューズ回路構成体１を製造する。この展開形状のヒューズ回路構成体１にあって、連結プレート部２と第１延長プレート部７との境界である折曲線ａの部分で１８０度折り曲げて連結プレート部２に対して第１延長プレート片部７が折り重なる連結プレート重合片部７ａを形成し、この連結プレート重合片部７ａと第１オルタネータ端子片部７ｂとの境界である折曲線ｂの部分で更に９０度折り曲げて第１オルタネータ端子片部７ｂを形成する。また、差し込み係止部８ａと放熱プレート部８ｂとの境界である折曲線ｃの部分で９０度折り曲げて放熱プレート片部８ｂを形成し、この放熱プレート片部８ｂと第２オルタネータ端子片部８ｃとの境界である折曲線ｄの部分で９０度折り曲げて第２オルタネータ端子片部８ｃを形成する。
【００２３】
このようにして形成されたヒューズ回路構成体１は、ハウジング内に挿入されることによってハウジングに装着される。ヒューズ回路構成体１の連結プレート部２及び各可溶体３はハウジング内に完全に収容されると共に、各雌端子部４がハウジングのコネクタハウジング部内にセットされ、各ビス止め用端子部５がハウジングの端子支持部に表面露出状態で支持される。
【００２４】
そして、オルタネータ入力端子部６は図示しないオルタネータ用ケーブルの端子と共にボルトでハウジングに共締めされる。このハウジングのコネクタハウジング部内の各雌端子部４には図示しない相手側コネクタの各端子が、端子支持部の各ビス止め用端子部５にはビス止めで図示しない相手側のＬＡ端子が、それぞれ接続される。相手側コネクタの各端子及び各ＬＡ端子はケーブルを介して各負荷にそれぞれ接続され、これら各負荷にオルタネータなどからの電源がヒューズ回路（いずれも図示省略）を介して分配供給される。そして、負荷側の短絡事故などによって可溶体部３に所定以上の電流が通電されると、可溶体部３が発熱によって溶断し、過電流に基づく事故が防止される。
【００２５】
以上、このヒュージブルリンクユニットでは、オルタネータからの電流が２枚のオルタネータ端子片部７ｂ，８ｃより成るオルタネータ入力端子部６に入力され、入力された電流が第１延長プレート片部７を通る第１電流Ａと第２延長プレート片部８を通る第２電流Ｂに分流しつつ連結プレート部２に流入される。そして、ヒューズ回路構成体１は、連結プレート部２より２枚の延長プレート片部７，８を延設し、これらの一部を重ね合わせることでオルタネータ入力端子部６を形成しており、従来とほぼ同様なスペースで形成可能である。従って、外形寸法を拡大することなくオルタネータ入力端子部６の温度上昇を確実に低減させることができる。
【００２６】
前記実施形態では、延長プレート片部７，８は第１延長プレート片部７と第２延長プレート片部８の２枚であり、電流が２分流されて連結プレート部２に流入される。尚、延長プレート片部の枚数は３枚以上としても良い。
【００２７】
前記実施形態では、第１延長プレート片部７は、連結プレート部２に重なるように折り曲げ折り畳まれた連結プレート重合片部７ａを有するので、連結プレート部２が２重となるため、連結プレート部２の温度上昇を確実に低減させることができる。
【００２８】
前記実施形態では、第２延長プレート片部８は、連結プレート部２と第２オルタネータ端子片部８ｃとの間に放熱プレート片部８ｂを有するので、放熱プレート片部８ｂより放熱されるため、更にオルタネータ入力端子部６の温度上昇をより確実に低減させることができる。
【００２９】
尚、前記実施形態によれば、ヒューズ回路構成体１が１枚のみでヒューズ回路を形成したが、ヒューズ回路構成体を２枚以上連結させてヒューズ回路を形成しても良いことは勿論である。
【００３０】
【発明の効果】
以上説明したように、請求項１の発明によれば、連結プレート部よりそれぞれ延設される複数の延長プレート片部を設け、この複数の延長プレート片部の一部を重ね合わせてオルタネータ入力端子部を形成したので、オルタネータからの電流が複数枚の延長プレート片部より成るオルタネータ入力端子部に入力され、入力された電流が複数の延長プレート片部に分流しつつ連結プレート部に流入されるものであり、連結プレート部より複数の延長プレート片部を延設し、これらの一部を重ね合わせることでオルタネータ入力端子部を形成しており、従来とほぼ同様なスペースで形成可能である。従って、外形寸法を拡大することなくオルタネータ入力端子部の温度上昇を低減させることができる。
【００３１】
請求項２の発明によれば、複数の延長プレート片部を第１延長プレート片部と第２延長プレート片部の２枚で構成したので、オルタネータ入力部に入力された電流を２分流させて連結プレート部に流入させることができる。
【００３２】
請求項３の発明によれば、連結プレート部が２重となるため、連結プレート部の温度上昇を確実に低減させることができる。
【００３３】
請求項４の発明によれば、放熱プレート片部より放熱されるため、オルタネータ入力端子部の温度上昇をより確実に低減させることができる。
【図面の簡単な説明】
【図１】本発明の一実施形態を示し、（ａ）はヒューズ回路構成体の全体斜視図、（ｂ）はオルタネータ入力端子部付近の部分斜視図である。
【図２】本発明の一実施形態を示し、ヒューズ回路構成体の正面図である。
【図３】本発明の一実施形態を示し、ヒューズ回路構成体の右側面図である。
【図４】本発明の一実施形態を示し、ヒューズ回路構成体の左側面図である。
【図５】本発明の一実施形態を示し、ヒューズ回路構成体を裏面側から見た展開図である。
【図６】従来例のヒューズ回路構成体の正面図である。
【符号の説明】
１　ヒューズ回路構成体
２　連結プレート部
３　可溶体部
４　雌端子部（端子部）
５　ビス止め用端子部（端子部）
６　オルタネータ入力端子部
７　第１延長プレート片部
７ａ　連結プレート重合片部
７ｂ　第１オルタネータ端子片部
８　第２延長プレート片部
８ｂ　放熱プレート片部
８ｃ　第２オルタネータ端子片部
【図１】
2004127697.tif 000003
【図２】
2004127697.tif 000004
【図３】
2004127697.tif 000005
【図４】
2004127697.tif 000006
【図５】
2004127697.tif 000007
【図６】
2004127697.tif 000008